(57)【要約】【課題】開封が容易で、且つ、物品を再度収容することが可能な、包装用箱を提供する。【解決手段】本発明に係る包装用箱は、上部開口及び下部開口を有し、物品を収容可能な角筒状の箱本体と、前記上部開口を開閉可能に塞ぐ上蓋部と、前記下部開口を塞ぐ下蓋部と、を備え、前記箱本体は、少なくとも、前記上部開口の一部を構成する第１辺を有するとともに、開口部が形成された第１面と、前記第１面の前記第１辺に、折り曲げ可能に連結された支持フラップと、前記第１面と対向し、前記上部開口の一部を構成する第２辺を有する第２面と、を備え、前記上蓋部は、前記第２辺に折り曲げ可能に連結され、前記上部開口を塞ぐ上蓋フラップと、前記上蓋フラップの先端に折り曲げ可能に連結される差込フラップと、を備え、前記箱本体の第１辺には、前記差込フラップが差し込まれる、切込みが形成され、前記第１面は、前記開口部と前記切り取り線とを結ぶ少なくとも１つの切り取り線を備えている。【選択図】図１
2019031291.tif 000002
【特許請求の範囲】
【請求項１】
上部開口及び下部開口を有し、物品を収容可能な角筒状の箱本体と、
前記上部開口を開閉可能に塞ぐ上蓋部と、
前記下部開口を塞ぐ下蓋部と、を備え、
前記箱本体は、少なくとも
前記上部開口の一部を構成する第１辺を有するとともに、開口部が形成された第１面と、
前記第１面の前記第１辺に、折り曲げ可能に連結された支持フラップと、
前記第１面と対向し、前記上部開口の一部を構成する第２辺を有する第２面と、
を備え、
前記上蓋部は、
前記第２辺に折り曲げ可能に連結され、前記上部開口を塞ぐ上蓋フラップと、
前記上蓋フラップの先端に折り曲げ可能に連結される差込フラップと、
を備え、
前記箱本体の第１辺には、前記差込フラップが差し込まれる、切込みが形成されており、
前記第１面は、前記開口部と前記切込みとを結ぶ少なくとも１つの切り取り線を備えている、包装用箱。
【請求項２】
前記切り取り線が複数備えられている、請求項１に記載の包装用箱。
【請求項３】
前記切込みに差し込まれた前記差込フラップが、前記開口部から露出するように形成されている、請求項１または２に記載の包装用箱。
【請求項４】
前記差込フラップにおいて，前記開口部から露出する部分には、折り曲げ線が形成されている、請求項３に記載の包装用箱。
【請求項５】
前記箱本体は、前記第１面の内面側から、前記第１面の開口部を塞ぐカバー部材をさらに備え、
前記切込みから差し込まれた前記差込フラップは、前記第１面と前記カバー部材との間に配置されるように構成されている、請求項１から４のいずれかに記載の包装用箱。
【請求項６】
前記カバー部材には、前記第１辺よりも上方へ突出する突出部が形成されており、
折り曲げられた前記支持フラップにより、前記突出部が押圧される、請求項５に記載の包装用箱。
【請求項７】
前記差込フラップが前記切込みから抜けるのを防止する抜け止め機構を、さらに備えている、請求項１から６のいずれかに記載の包装用箱。
【発明の詳細な説明】
【技術分野】
【０００１】
本発明は、包装用箱に関する。
【背景技術】
【０００２】
従来、物品を収容するために、紙やプラスチックなどのシート材で形成された包装用箱が利用されている。一般的に、包装用箱は、正面部、背面部、及び一対の側面部を有する角筒状の本体部を備えており、本体部の上部開口及び下部開口は、それぞれ上蓋部及び下蓋部により塞がれている。そして、上部開口は、本体部の背面部の上端縁に折り曲げ可能に連結される上蓋フラップと、この上蓋フラップの先端に折り曲げ可能に連結される差込フラップと、を備えている。上蓋フラップは、上部開口と同じ形状に形成され、差込フラップは、上蓋フラップが上部開口を閉じたときに、本体部の正面部の内面側に配置される。
【０００３】
そして、物品を包装用箱から取り出すには、本体部の上部開口において、正面部と差込フラップとの間に指を差し込み、差込フラップを上蓋フラップとともに引き上げることで、上部開口を開き、その後、物品を取り出す。しかしながら、物品の形状が大きく、例えば、物品の奥行き幅が正面部と背面部との距離とほぼ同じである場合には、正面部と差込フラップとの間に隙間が形成しがたいため、指を差し込み難く、これにより、上蓋部を開きにくいという問題があった。また、表面を内側に押し込み破断させることで開封するタイプの包装用箱も提案されているが、このタイプの包装用箱も、上述したように商品の形状が大きい場合には、物品が邪魔をして表面を押し込み難く、開封しにくいという問題があった。
【０００４】
これに対して、例えば、特許文献１には、包装用箱の正面部にミシン目を形成し、このミシン目に沿って正面部を取り外した後、上蓋フラップを開くように構成されている。
【先行技術文献】
【特許文献】
【０００５】
【特許文献１】実開昭５８−８２３２６号公報
【発明の概要】
【発明が解決しようとする課題】
【０００６】
しかしながら、上記特許文献の包装用箱では、正面部が左右方向の全体に亘って開いてしまい、正面部が箱を構成する壁としての機能を果たさなくなるため、再度物品を収容することができないという問題がある。本発明は、上記問題を解決するためになされたものであり、開封が容易で、且つ、物品を再度収容することが可能な、包装用箱を提供することを目的とする。
【課題を解決するための手段】
【０００７】
本発明に係る包装用箱は、上部開口及び下部開口を有し、物品を収容可能な角筒状の箱本体と、前記上部開口を開閉可能に塞ぐ上蓋部と、前記下部開口を塞ぐ下蓋部と、を備え、前記箱本体は、少なくとも、前記上部開口の一部を構成する第１辺を有するとともに、開口部が形成された第１面と、前記第１面の前記第１辺に、折り曲げ可能に連結された支持フラップと、前記第１面と対向し、前記上部開口の一部を構成する第２辺を有する第２面と、を備え、前記上蓋部は、前記第２辺に折り曲げ可能に連結され、前記上部開口を塞ぐ上蓋フラップと、前記上蓋フラップの先端に折り曲げ可能に連結される差込フラップと、を備え、前記箱本体の第１辺には、前記差込フラップが差し込まれる、切込みが形成されており、前記第１面は、前記開口部と前記切込みとを結ぶ少なくとも１つの切り取り線を備えている。
【０００８】
この構成によれば、箱本体の第１面に開口部が形成されるとともに、第１面の上端縁である第１辺に支持フラップが折り曲げ可能に連結されている。また、第１辺には差込フラップが差し込まれる切込みが形成されるとともに、第１面において切込みと開口部との間に少なくとも１つの切り取り線が形成されている。そのため、物品を取り出すには、開口部に指を入れて引き上げればよい。これにより、開口部の上側の内周縁と切込みとの間を切り取り線により、連結することができる。その結果、開口部の上側の内周縁と切込みとの間の領域を開き、第１面の内面側に配置されている差込フラップを露出させることができる。
【０００９】
そして、露出した差込フラップを上蓋フラップとともに引き上げれば、上部開口を簡単に開くことができる。したがって、本発明に係る包装用箱では、差込フラップの露出のために、正面部の一部のみを破断させているため、正面部は依然として箱本体を構成する壁として機能する。したがって、箱本体に物品を再度収容することができる。
【００１０】
また、この包装用箱は、箱本体、上蓋部、及び下蓋部を、紙や樹脂製のシートにより一体的に形成することができるため、他の部材を必要としない。したがって、製造コストを低減することができる。
【００１１】
さらに、上記のような手順で上部開口を開けば、開口部の上側の内周縁と切込みとが連結されるため、物品が取り出されたか否かを容易に視認することができる。よって、例えば、物品が不正に取り出されたことを容易に確認することができる。
【００１２】
なお、本発明の切込みは、第１辺に形成されるが、厳密に第１辺に沿って形成されていなくてもよく、例えば、第１辺から支持フラップ側に多少ずれてもよい。したがって、切込みは、厳密に第１辺に沿って形成されるほか、第１辺の近傍に設けられていてもよい。
【００１３】
上記包装用箱においては、切り取り線を複数設けることができる。これにより、開口部の上側の内周縁、切込み、及び複数の切り取り線で囲まれた領域を第１面から切り取ることができる。これにより、物品が不正に取り出されたことをより容易に視認することができる。
【００１４】
上記包装用箱においては、前記切込みに差し込まれた前記差込フラップが、前記開口部から露出するように形成することができる。
【００１５】
この構成によれば、切込みに差し込まれた差込フラップが開口部から露出するようになっているため、例えば、差込フラップを指で引っ掛けたり、指で掴んで引き上げれば、差込フラップとともに切り取り領域が引き上げられるため、容易に切り取り線を破断させることができる。
【００１６】
上記包装用箱では、前記差込フラップにおいて、前記開口部から露出する部分に、折り曲げ線を形成することができる。
【００１７】
この構成によれば、開口部から露出する差込フラップに折り曲げ線が形成されているため、折り曲げ線を折り曲げると、これに指が引っ掛けやすくなったり、あるいは指で掴みやすくすることができる。したがって、切り取り線をさらに容易に破断させることができる。
【００１８】
上記包装用箱では、前記箱本体は、前記第１面の内面側から、前記第１面の開口を塞ぐカバー部材をさらに備え、前記切込みから差し込まれた前記差込フラップを、前記第１面と前記カバー部材との間に配置されるように構成することができる。
【００１９】
この構成によれば、カバー部材により開口部を内側から塞ぐことができるため、開口部から商品が露出するのを防止することができ、また、外部からの異物や埃等を防いで箱本体の内部空間を清潔に保つことができる。
【００２０】
上記包装用箱において、前記カバー部材には、前記第１辺よりも上方へ突出する突出部が形成されており、折り曲げられた前記支持フラップにより、前記突出部が押圧されるように構成することができる。
【００２１】
この構成によれば、支持フラップが折り曲げられたときに、突部が押圧されて、カバー部材と正面部との間に隙間が形成されるため、差込フラップを切込みに差し込んだときに、カバー部材と干渉するのを防止することができる。すなわち、上記のような隙間が形成されるため、差込フラップを容易に切込みに差し込むことができる。
【００２２】
上記包装用箱においては、前記差込フラップが前記切込みから抜けるのを防止する抜け止め機構を、さらに備えることができる。
【００２３】
これにより、差込フラップを切込みから引き上げるのが防止され、上蓋フラップが開いて物品が取り出されるのを防止することができる。一方、物品を取り出すには、上記のように、開口部の上側の内周縁と切込みとを連結しなければならないため、この連結が行われていれば、不正に開封がなされたことを視認することができる。
【発明の効果】
【００２４】
本発明に係る包装用箱によれば、開封が容易で、且つ、物品を再度収容することができる。
【図面の簡単な説明】
【００２５】
【図１】本発明の一実施形態に係る包装用箱の斜視図である。
【図２】図１の包装用箱の展開図である。
【図３】図２の正面部の上部拡大図である。
【図４】図２の差込フラップの拡大図である。
【図５】包装用箱の組立を示す断面図である。
【図６】包装用箱の組立を示す断面図である。
【図７】包装用箱の組立を示す斜視図である。
【図８】包装用箱の組立を示す斜視図である。
【図９】包装用箱を開封する様子を示す断面図である。
【図１０】包装用箱を開封する様子を示す斜視図である。
【図１１】包装用箱を再度閉じる様子を示す斜視図である。
【図１２】包装用箱を再度閉じる様子を示す断面図である。
【図１３】包装用箱を再度閉じる様子を示す斜視図である。
【発明を実施するための形態】
【００２６】
＜１．包装用箱の概要＞
以下、本発明に係る包装用箱の一実施形態について図面を参照しつつ説明する。図１は包装用箱の斜視図であり、図２は包装用箱の展開図である。
【００２７】
図１に示すように、本実施形態に係る包装用箱は、上下方向に長い縦長の直方体であり、商品（物品）が収容される角筒状の箱本体１を備えている。そして、箱本体１の下部開口にはいわゆるワンタッチ底により下蓋部３が形成されており、上部開口には開閉可能な上蓋部２が設けられている。まず、図２を参照しつつ、この包装用箱の展開図について説明する。以下の説明では、説明の便宜上、図２の横方向を幅方向、上下方向を縦方向と称して説明を行うことがある。
【００２８】
本実施形態に係る包装用箱は、図２に示すように展開することができ、プラスチック、紙などの変形可能な薄板状の材料で形成されている。この包装用箱の箱本体１は、図２の右から左へ、矩形状に形成された正面部１１、第１側面部１２、背面部１３、及び第２側面部１４が、この順で連結されている。これら各部の連結部分はそれぞれ折り曲げ可能となっている。また、第２側面部１４の左側の辺には、のりしろを兼ねたカバー部１５が折り曲げ可能に連結されている。なお、図２においては、折り曲げ線を細線で表している。
【００２９】
正面部１１は、包装用箱の正面を向く面であり、例えば、商品の名称などが表示されている。一方、背面部１３は、正面部１１と同じ大きさに形成され、包装用箱が組み立てられたときには、正面部１１と対向する位置に配置される。そして、背面部１３には、例えば、商品の使用方法、成分表，会社名などが表示される。第１側面部１２及び第２側面部１３は、同じ大きさに形成され、第１側面部１２が正面部１１に向かって左側に配置され、第２側面部１４は第１側面部１２と対向する位置、つまり正面部１１に向かって右側に配置される。そして、箱本体１の上部開口１０１及び下部開口１０２は、概ね正方形に形成されている。なお、正面部１１を包装用箱の背面、背面部１３を包装用箱の正面として用いることもでき、それに合わせた表示を適宜行うことができる。
【００３０】
次に、正面部１１について、図３も参照しつつ、さらに詳細に説明する。図３は、正面部の拡大図である。正面部１１の上端付近には、正面部１１を貫通する正面視矩形状の開口部１１１が形成されており、この開口部１１１の幅Ｄは、正面部１１の幅Ｘよりも小さくなっている。また、この開口部１１１の両側から正面部１１の上端縁に向かって一対の第１切り取り線１１２が形成されている。
【００３１】
また、各第１切り取り線１１２は、次のように構成されている。図３に示すように、各切り取り線１１２は、平行に延びる一対のミシン目、つまり第１ミシン目１１２１及び第２ミシン目１１２２により形成されている。第１ミシン目１１２１は、開口部１１１の両側から上方に延びるように形成されており、第２ミシン目１１２２は、第１ミシン目１１２１よりも外側に近接して配置されている。そして、第１ミシン目１１２１の貫通部分と第２ミシン目１１２２の貫通部分とは、互いにずれるように形成されている。
【００３２】
正面部１１の上端縁（第１辺）には、台形状の支持フラップ２１が折り曲げ可能に連結されている。この上端縁において、上記切り取り線１１２で挟まれた部分には、正面部１１を貫通する第１切込み１１３が形成されている。この第１切込み１１３は、直線状に延びる一対の側部１１３１と、これら側部１１３１の間に配置される中央部１１３２とで、構成されている。一対の側部１１３１は、支持フラップ２１と正面部１１との折り曲げ線に沿って形成されているが、中央部１１３２はこの折り曲げ線よりも支持フラップ２１側に凹むように形成されている。そのため、後述するように、支持フラップ２１を正面部１１に対して折り曲げたときには、両側部１１３１が中央部１１３２よりも相対的に前方に突出するようになる。ここで、中央部１１３２の長さをＳ１と規定する。
【００３３】
そして、上記開口部１１１の上端縁、一対の第１切り取り線１１２、及び第１切込み１１３によって囲まれた領域が、第１切り取り線１１２の切り取りにより、正面部１１から離脱可能となる。以下、この領域を切り取り領域１１４と称することとする。また、支持フラップ２１には、第１切込み１１３の両側から上方にいくにしたがって左右に広がる一対の第２切り取り線１１５が形成されている。
【００３４】
次に、上蓋部２について、図４も参照しつつ説明する。図４は上蓋部の拡大図である。上蓋部２は、上述した支持フラップ２１、背面部１３の上端縁（第２辺）に折り曲げ可能に連結された矩形状の上蓋フラップ２２、この上蓋フラップ２２の先端に折り曲げ可能に連結された差込フラップ２３、第１側面部１２及び第２側面部１４の上辺にそれぞれ折り曲げ可能に連結された第１上部横フラップ２４、及び第２上部横フラップ２５で構成されている。
【００３５】
上蓋フラップ２２は、箱本体１の上部開口１０１とほぼ同じ大きさの矩形状に形成されている。なお、後述するように、差込フラップ２３の抜け止めのためには、上部開口１０１よりも前後方向の長さ（正面部１１と背面部１３との間の長さ）がやや短い形状が好ましい。また、差込フラップ２３は、上蓋部２が箱本体１の上部開口１０１を閉じたとき、上述した第１切込み１１３に差し込まれる。差込フラップ２３は、上蓋フラップ２２の先端縁よりも小さい幅に形成された矩形状のフラップ本体２３１と、このフラップ本体２３１の先端に折り曲げ可能に連結される半円状の折り曲げ部２３２と、で一体的に構成されている。また、フラップ本体２３１と上蓋フラップ２２との連結部分の両側には、それぞれ、第２切込み２７が形成されている。両第２切込み２７は、折り曲げ部側に凸のＵ字状に形成されている。これにより、差込フラップ２３は、一対の第２切込み２７の間の部分でのみ、上蓋フラップ２２に折り曲げ可能に連結されている。ここで、差込フラップ２３のこの折り曲げ部分の長さＳ２は、上述した中央部の長さＳ１とほぼ同じ、またはＳ１よりも小さくなっている。
【００３６】
また、差込フラップ２３のフラップ本体２３１の上下方向の長さＹは、正面部１１の上端縁から開口部１１１の上端縁の長さＢと同じか、長くなっている。これにより、後述するように、差込フラップ２３を第１切込み１１３に差し込んだときに、開口部１１１の上端縁から折り曲げ部２３２を露出させることができる。
【００３７】
また、第１上部横フラップ２４と第２上部横フラップ２５は同じ大きさの矩形状に形成されている。第１上部横フラップ２４の幅は、第１側面部１２の上辺とほぼ同じであり、第１側面部１２からの突出長さは、正面部１１の幅の半分よりやや短い長さである。第２上部横フラップ２５も同様である。
【００３８】
続いて、下蓋部３について説明する。下蓋部３は、いわゆるワンタッチ底により形成されている。具体的には、正面部１１の下端縁に折り曲げ可能に連結された第１小フラップ３１、背面部１３の下端縁に折り曲げ可能に連結された第２小フラップ３２、第１側面部１２の下端縁に折り曲げ可能に連結された第１大フラップ３３、及び第２側面部１４の下端縁に折り曲げ可能に連結された第２大フラップ３４、により構成されている。両小フラップ３１，３２は、台形状に形成されており、長い斜辺が、下部開口１０２の対角線に沿って、下部開口１０２の中心まで延びている。一方、両大フラップ３３，３４は、三角形状のフラップ本体３３１，３４１を備えており、このフラップ本体３３１，３４１の一方の辺（以下、折り曲げ辺という）３３３，３４３は、下部開口１０２の対角線に沿って延びている。そして、この折り曲げ辺３３３，３４３には折り曲げ可能に三角形状の糊しろ３３２，３４２が連結されている。折り曲げ辺３３３，３４３は、対角線に沿って、下部開口１０２の中心まで延びており、この中心において、糊しろ３３２，３４２と、フラップ本体３３１，３４１とは、約９０度の角度αで交差しており、この交差部分が後述する係合部を構成している。
【００３９】
次に、カバー部１５について説明する。カバー部１５は、第２側面部の左側縁に沿って帯状に延びる糊代部１５１と、この糊代部１５１の上端付近から左側へ延びる矩形状のカバー本体１５２と、このカバー本体１５２の上端縁から突出する半円状の突出部１５３と、を備えている。カバー本体１５２は、正面部１１の開口部１１１と上下方向の位置が対応している。これにより、後述するように、この包装用箱が組立てられたときに、カバー本体１５２が正面部１１の開口部１１１を内側から塞ぐように構成されている。突出部１５３は、カバー本体１５２に対し、折り曲げ可能に連結され、且つ正面部１１の上端縁よりも上方に突出するように形成されている。
【００４０】
＜２．包装用箱の組立＞
次に、上記のように構成された包装用箱の組み立てについて、図５及び図６も参照しつつ説明する。図５及び図６は包装用箱の断面図である。まず、図２のように展開された状態から箱本体１を組み立てる。具体的には、各部１１〜１４の連結部分を折り曲げることで、角筒状に形成する。このとき、カバー部１５も第２側面部１４に対して折り曲げられ、折り曲げられたカバー部１５の糊代部１５１を、接着剤により正面部１１の裏面に接着する。こうして、箱本体１が、内部空間を有する角筒状に形成される。このとき、図５に示すように、カバー部１５のカバー本体１５２が、開口部１１１を裏側から塞ぐとともに、突出部１５３は、正面部１１の上端縁から上方に突出する。なお、カバー部１５は、糊代部１５１のみが正面部１１に接着されているため、正面部１１とカバー本体１５２との間には隙間が形成される。
【００４１】
次に、箱本体１の下部開口１０２を閉じる下蓋部３を組み立てる。まず、第１大フラップ３３の折り曲げ辺３３３を折り曲げつつ、糊しろ３３２を、これと隣接する第１小フラップ３１に接着する。これにより、第１大フラップ３３の折り曲げ辺３３３と、第１小フラップ３１の短い斜辺とが、下部開口１０２の対角線に一致する。同様に、第２大フラップ３４の折り曲げ辺３４３を折り曲げつつ、糊しろ３４２を、これと隣接する第２小フラップ３２に接着する。これにより、第２大フラップ３４の折り曲げ辺３４３と、第２小フラップ３２の短い斜辺とが、上記対角線に一致する。この状態で、すべてのフラップが同一平面に位置するように移動させると、第１大フラップ３３と第１小フラップ３１とで形成された係合部と、第２大フラップ３４と第２小フラップ３２とで形成された係合部と、が係合し、下部開口１０２を塞ぐ正方形状の下蓋部３が形成される。
【００４２】
これに続いて、箱本体１の上部開口１０１から、商品Ａを箱本体１の内部空間へ収容する。次に、箱本体１の上部開口１０１を閉じる上蓋部２を組み立てる。まず、両上部横フラップ２４，２５を折り曲げた後、支持フラップ２１を折り曲げる。これにより、図６に示すように、正面部１１の上端縁から突出しているカバー部１５の突出部１５３が押圧され、折り曲げられる。これに伴い、突出部１５３はカバー本体１５２とともに、正面部１１から離れる方向に押し遣られ、その結果、正面部１１とカバー本体１５２との間の隙間が広がる。
【００４３】
続いて、上蓋フラップ２２を折り曲げ、上部開口１０１を塞ぐとともに、差込フラップ２３を正面部１１の第１切込み１１３に差し込む。差込フラップ２３は、第１切込み１１３を介して、箱本体１の内部に差し込まれるが、上記のように、正面部１１とカバー本体１５２との隙間が広がっているため、差込フラップ２３は、この隙間に差し込みやすくなる。そして、図１に示すように、差込フラップ２３が完全に差し込まれた状態では、先端の折り曲げ部２３２が開口部１１１から外部に露出するようになる。こうして、包装用箱が組み立てられる。
【００４４】
＜３．包装用箱の使用方法＞
上記のように構成された包装箱では、一旦、差込フラップ２３が第１切込み１１３に差し込まれると、差込フラップ２３を第１切込み１１３から抜き出すことができないようになっている。まず、この点について説明する。
【００４５】
図７に示すように、包装用箱の組立て時に、差込フラップ２３を上蓋フラップ２２に対して折り曲げると、第２切込み２７が形成されている部分では、上蓋フラップ２２と差込フラップ２３との間に隙間が生じる。以下では、この差込フラップ２３において隙間が形成されている部分を係合部２７１と称することとする。一方、図８に示すように、支持フラップ２１を折り曲げると、第１切込み１１３により、支持フラップ２１において、側部１１３１に対応する部分が、中央部１１３２に対応する部分よりも相対的に前方に突出する。
【００４６】
このような形状が形成された後、差込フラップ２３を第１切込み１１３に差し込むと、上記のような長さＳ１とＳ２との関係から、差込フラップ２３の折り曲げ部分（長さＳ２の部分）は、第１切込み１１３の中央部１１３２に収容される。ここで、図８に示すように、中央部１１３２は支持フラップ２１側に凹み、その両側の側部１１３１は相対的に前方に突出しているため、差込フラップ２３の係合部２７１は、突出した側部１１３１に係合する。これにより、側部１１３１が抜け止めとなり、上蓋フラップ２２が開かれるのが防止される。
【００４７】
そこで、この包装箱を開いて商品Ａを取り出すには、まず、図９に示すように、正面部１１の開口部１１１に指を入れ、差込フラップ２３の折り曲げ部２３２に指を引っ掛けたり、指で掴んで上方に引き上げながら、切り取り領域１１４を正面部１１から切り取る。すなわち、差込フラップ２３とともに切り取り領域１１４を引き上げることで、図１０に示すように、一対のミシン目１１２が切り離され、切り取り領域１１４が正面部１１から離脱する。これにより、切り取り領域１１４とカバー部１５との間での差込フラップ２３の固定が解除されるため、上蓋フラップ２２を開くことができる。これにより、箱本体１の上部開口１０１が開放され、商品Ａを取り出すことができる。
【００４８】
さらに、商品Ａを再度、包装用箱に収容する場合には、商品を上部開口から箱本体に収容した後、図１０の状態から、差込フラップ２３の係合部２７１を、第１切込みの側部に引っ掛ければ、図１１に示すように、上蓋フラップ２２が上部開口１０１を閉じた状態に保持することができる。あるいは、図１２及び図１３に示すように、支持フラップ２１を開き、カバー部１５の上端縁を上方に開放した後、正面部１１とカバー部１５との間に差込フラップ２３を差し込むこともできる。これによっても、上蓋フラップ２２が上部開口１０１を閉じた状態に保持することができる。
【００４９】
＜４．特徴＞
この構成によれば、箱本体１の正面部１１に開口部１１１が形成されるとともに、正面部１１の上端縁に支持フラップ２１が折り曲げ可能に連結されている。また、上端縁には差込フラップ２３が差し込まれる第１切込み１１３が形成されるとともに、正面部１１において第１切込み１１３と開口部１１１との間には一対の第１切り取り線１１２が形成されている。そのため、商品Ａを取り出すには、開口部１１１に指を入れて引き上げればよい。これにより、切り取り領域１１４を正面部１１から離脱させることができるため、正面部１１の内面側に配置されている差込フラップ２３を露出させることができる。
【００５０】
そして、露出した差込フラップ２３を上蓋フラップ２２とともに引き上げれば、上部開口１０１を簡単に開くことができる。したがって、この包装用箱では、正面部１１の一部の切り取り領域１１４のみが切り取られるため、箱本体１に商品Ａを再度収容することができる。そして、商品の収容の際には、上記のように、差込フラップを第１切込みに係合させるなどして上蓋フラップを上部開口に保持できるため、箱本体内に埃などが入るのを防止することができる。
【００５１】
また、この包装用箱は、紙などにより一体的に形成されているため、他の部材を必要としない。したがって、製造コストを低減することができる。
【００５２】
さらに、差込フラップ２３が第１切込み１１３に差し込まれたときには、差込フラップ２３の係合部２７１と第１切込み１１３の側部１１３１とが係合し、側部１１３１が抜け止めになるため、上蓋フラップ２２が無理に開かれるのを防止することができる。その一方で、商品Ａを取り出すには、上記のように、切り取り領域１１４を切り取らなければならないため、切り取り領域１１４が切り取られていれば、開封がなされたことを視認することができる。
【００５３】
また、差込フラップ２３を無理に抜き出そうとすると、差込フラップ２３の係合部２７１が第１切込み１１３の側部１１３１を押し上げることになる。そうすると、差込フラップ２３の第２切り取り線１１５が破断するため（例えば、図８参照）、商品Ａの取り出し後、仮に、上蓋フラップ２２を閉じたとしても、第２切り取り線１１５の破断により、不正に商品Ａの取出しが行われたことを確認することができる。
【００５４】
＜５．変形例＞
以上、本発明の一実施形態について説明したが、本発明はこれに限定されるものではなく、その趣旨を逸脱しない限りにおいて種々の変更が可能である。
【００５５】
下蓋部３の形態は特には限定されず、下部開口１０２を閉じることができればよい。したがって、例えば、上蓋部２と同様に構成することもできる。
【００５６】
開口部１１１の形状も特には限定されず、指を挿入可能であればよい。例えば、差込フラップ２３において、折り曲げ部２３２は指を引っ掛けやすいため、設けることが好ましいが、指を引っ掛けることができれば、その形状は特には限定されない。また、指で開口部１１１の上縁を引っ掛けることができれば、差込フラップ２３を開口部１１１から露出させるのは、必ずしも必要ではない。
【００５７】
カバー部１５の形状は、開口部１１１を内側から塞ぐことができれば、特には限定されない。また、突出部１５３は必ずしも必要ではない。さらに、カバー部１５も商品の種類によっては設けなくてもよい場合がある。
【００５８】
なお、突出部１５３は、支持フラップ２１の押圧によってカバー部１５と正面部１１内面を離して差込フラップ２３を挿入しやすくする効果があるが、この押圧力を適宜調整することができる。そのためには、例えば、突出部１５３の形状を変更したり、突出部１５３の下部にミシン目等の脆弱部を設けたり、あるいは突出部１５３とカバー本体１５２との間に折り目を設けないなど、種々の方法を適用することができる。
【００５９】
切り取り線１１２は、上記のような一対のミシン目１１２１，１１２２以外でもよく、指の力で切り取り領域１１４を正面部１１から引きちぎることができれば、特には限定されず、ミシン目のように正面部１４を貫通する以外に、例えば、薄肉状に形成することで、切り取り線とすることもできる。また、切り取り線の上端と下端以外を貫通させておくこともできる。
【００６０】
上記実施形態では、正面部の上端縁の第１切込み１１３と開口部１１１との間に一対の第１切り取り線１１２を形成しているが、第１切り取り線１１２は、１本であってもよい。第１切込み１１３と開口部１１１とが１本の第１切り取り線で連結されると、開口部１１１と第１切込み１１３との間の領域を開いて、差込フラップ２３を露出させることができる。これによっても、差込フラップ２３の固定を解除できるため、上蓋フラップ２２を開いて商品Ａを取り出すことができる。また、開封されたことを視認することもできる。
【００６１】
上記実施形態では、差込フラップ２３の抜け止め機構として、差込フラップ２３に係合部２７１を形成し、第１切込み１１３に側部１１３１を設け、これらを係合させているが、これに限定されるものではない。すなわち、差込フラップ２３を簡単に引き抜くことができないような機構であれば、他の機構であってもよい。また、商品の種類によっては、必ずしも抜け止め機構を設けなくてもよい。
【００６２】
上記実施形態では、箱本体１が上下方向に長い例を示したが、この長さは特には限定されない。また、上記実施形態では、四角筒状の包装用箱について説明したが、必ずしも四角筒状でなくてもよく、断面多角形状であってもよい。すなわち、上蓋フラップが折り曲げ可能に連結された面と、この面と対向する面に貫通孔と一対の切り取り線が形成されていればよい。また、これらの面は曲面でもよい。
【符号の説明】
【００６３】
１        ：本体部
２        ：上蓋部
３        ：下蓋部
１１      ：正面部（第１面）
１３      ：背面部（第２面）
１５      ：カバー部材
２１      ：支持フラップ
２２      ：上蓋フラップ
２３      ：差込フラップ
１０１    ：上部開口
１０２    ：下部開口
１１１    ：開口部
１１２    ：切り取り線
１５３    ：突出部
【図１】
2019031291.tif 000003
【図２】
2019031291.tif 000004
【図３】
2019031291.tif 000005
【図４】
2019031291.tif 000006
【図５】
2019031291.tif 000007
【図６】
2019031291.tif 000008
【図７】
2019031291.tif 000009
【図８】
2019031291.tif 000010
【図９】
2019031291.tif 000011
【図１０】
2019031291.tif 000012
【図１１】
2019031291.tif 000013
【図１２】
2019031291.tif 000014
【図１３】
2019031291.tif 000015